(57)【要約】【課題】レンズブロックの突出量を抑えるとともに検出範囲を一定に保つ。【解決手段】レンズブロック３を板状のばね部材４によって弾性付勢しているために化粧プレート５から前方へ突出するレンズブロック３の突出量を大きく減らすことができる。しかも、本実施形態では特許文献１に記載されている従来例とは異なり、熱線センサＴＰを収納したレンズブロック３をばね部材４で弾性付勢して回動自在としているから、レンズブロック３を回動させても集光レンズ３０と熱線センサＴＰとの相対的な位置関係が変化しない。その結果、レンズブロック３の回動位置に関わらず、熱線センサＴＰの検出範囲をほぼ一定に保つことができる。【選択図】図１
2010027395.tif 000002
【特許請求の範囲】
【請求項１】
人体から発せられる熱線を検知する熱線センサと、熱線センサの出力に応じて電源から負荷への給電を入／切するリレーと、熱線センサを収納するとともに検知範囲からの熱線を熱線センサの受光部に集光する集光レンズを有するレンズブロックと、集光レンズを露出させる窓穴を有し検知範囲を変化させるようにレンズブロックを回動自在に保持するハウジングと、ハウジングに収納され且つレンズブロックを覆うように配設されるリレー等の電子部品が実装された一乃至複数のプリント配線板とを備え、ハウジングが天井面に埋込配設される熱線センサ付自動スイッチであって、レンズブロックとプリント配線板との間には、レンズブロックを窓穴側に付勢する板状のばね部材が設けられたことを特徴とする熱線センサ付自動スイッチ。
【請求項２】
前記レンズブロックには、ばね部材に向かって突出する突部が設けられ、該突部は、ばね部材に貫設された挿通孔に挿通されることを特徴とする請求項１記載の熱線センサ付自動スイッチ。
【請求項３】
前記プリント配線板は突部に近接し且つレンズブロックに外部から衝撃を与えられた際に突部と当接する位置に配設されたことを特徴とする請求項２記載の熱線センサ付自動スイッチ。
【請求項４】
前記プリント配線板には、突部と対向するとともにレンズブロックに向かって突出するスペーサが設けられたことを特徴とする請求項２記載の熱線センサ付自動スイッチ。
【請求項５】
前記ばね部材は、レンズブロックと当接する第１の板部と、第１の板部の周方向に沿うとともに第１の板部と離間して設けられる第２の板部と、第１の板部と第２の板部との間において第１の板部及び第２の板部の周方向に沿って配設される一乃至複数の長尺板状の弾性部とから成り、各弾性部は、一端が第１の板部に連結され且つ他端が第２の板部に連結されることを特徴とする請求項１乃至４の何れか１項に記載の熱線センサ付自動スイッチ。
【請求項６】
前記ハウジングには、ばね部材の周方向に沿って設けられてばね部材の外周縁が嵌合する複数の取付部と、ばね部材を取付部に嵌合する際にばね部材が当接する取付リブとが設けられたことを特徴とする請求項１乃至５の何れか１項に記載の熱線センサ付自動スイッチ。
【請求項７】
前記ハウジングは、ばね部材の周方向に沿って設けられてばね部材の外周と摺接する複数の位置決めリブを備えたことを特徴とする請求項１乃至６の何れか１項に記載の熱線センサ付自動スイッチ。
【請求項８】
前記位置決めリブは少なくとも３つ設けられ、２つのリブの間を熱線センサから引き出されるリード線の引き出し口としたことを特徴とする請求項７記載の熱線センサ付自動スイッチ。
【請求項９】
前記レンズブロックは、各々一面が開口した第１の枠体及び第２の枠体の開口面を互いに結合して成る回転枠と、回転枠内部に収納されて熱線センサが実装される基板とを備え、何れか一方の枠体に基板が固定されるとともに、他方の枠体に熱線センサの受光部と対向する形で集光レンズが配設され、前記一方の枠体に基板を載置するリブを設けるとともに、前記他方の枠体において基板と対向する部位にダボを設けたことを特徴とする請求項１乃至８の何れか１項に記載の熱線センサ付自動スイッチ。
【発明の詳細な説明】
【技術分野】
【０００１】
本発明は、人体から放射される熱線を検知することにより人の存否を検出し、負荷を制御する熱線センサ付自動スイッチに関する。
【背景技術】
【０００２】
従来から、人体から放射される熱線を検知することにより人の存否を検出する熱線センサを備え、熱線センサの出力に応じて負荷を制御する熱線センサ付自動スイッチが提供されている。この種の熱線センサ付自動スイッチは、例えば負荷を照明とした場合、室内に人が入った時に照明をオンし、人が室外に退出した時に照明をオフするといった制御に用いられる。
【０００３】
以下、この種の熱線センサ付自動スイッチの従来例について図面を用いて説明する。但し、以下の説明では、図７における上下を前後方向と定めるものとする。この従来例は天井に取り付けられるものであって、図７に示すように、天井面に形成される取付穴（図示せず）の周部下面に当接するフランジ部１１及びフランジ部１１の後面中央部に突設された筒部１０を有するボディ１と、前面が開放された有底筒状であって筒部１０に結合して閉塞し収納部を形成するカバー２とから成るハウジングＡを備える。筒部１０の後端には４個の組立片１０ａが突設され、組立片１０ａに貫設した組立穴１０ｂに対してカバー２の前端部の外周面に突設した組立突起２０を係合させることによってボディ１とカバー２とが結合する。
【０００４】
ハウジングＡには、例えば焦電体エレメント等の赤外線検出エレメントから成る熱線センサＴＰが収納された球状のレンズブロック１００と、熱線センサＴＰの出力に応じてオン／オフするリレーＳＷが実装された第１のプリント配線板Ｐ１と、リレーＳＷの動作を設定するための切替スイッチ部（図示せず）や熱線センサＴＰの感度を設定するための可変抵抗（図示せず）等、手動で操作されるハンドルを有する素子が実装された第２のプリント配線板Ｐ２とが収納されている。ここで、第２のプリント配線板Ｐ２はレンズブロック１００の後側において実装面を前方へ向けて固定され、ボディ１の前方からハンドルを操作できるようになっている。また、第１のプリント配線板Ｐ１は、第２のプリント配線板Ｐ２の後側において実装面を後方へ向けて固定されている。
【０００５】
第１のプリント配線板Ｐ１には、リレーＳＷの他にリレーＳＷと電線（図示せず）とを接続するための３個の端子部６が実装されている。端子部６は所謂速結端子であって、互いに隣接して各々第１のプリント配線板Ｐ１に実装されてリレーＳＷに電気的に接続された２個の端子板６０と、カバー２に設けられた電線挿通穴２１から挿入された電線をそれぞれ端子板６０との間に鎖錠する２個の鎖錠ばね６１と、カバー２に設けられた解除穴２２から挿入されたマイナスドライバ等の治具に押圧されることにより２個の鎖錠ばね６１を同時に押圧して鎖錠を解除する１個の解除釦６２とから成る。これらの端子部６のうち１個の端子部６に電源側の電線を接続し、別の１個の端子部６に負荷側の電線を接続すれば、電源から負荷への給電をリレーＳＷによって入／切することができる。尚、残る１個の端子部６には、従来周知の熱線センサの子器（図示せず）が接続される。
【０００６】
レンズブロック１００は、検知範囲からの熱線を熱線センサＴＰの受光面に集光する略半球形状の集光レンズ１０１と、熱線センサＴＰが実装された基板Ｐ３と、基板Ｐ３が内側に取り付けられるとともに集光レンズ３０に結合して球形を形成する略半球形状の回転枠１０２と、集光レンズ１０１と回転枠１０２との結合部を覆う略環状の保持枠１０３とから成る。フランジ部１１の中央部には、筒部１０と連通するとともに集光レンズ１０１を露出させる窓穴（図示せず）が前後方向に貫設されている。また、レンズブロック１００の後側には、両端部が取付ねじ１１１によってフランジ部１１にねじ止めされた押さえ金具１１０の中間部が位置している。押さえ金具１１０とレンズブロック１００との間には、レンズブロック１００をフランジ部１１に押し付ける方向に付勢するコイルばね１１２が挿入されている。更に、回転枠１０２外面の開口を挟んだ２箇所には、それぞれ略円柱形状の軸部１０２ａが突設され、該軸部１０２ａがフランジ部１１後面の窓穴を挟んだ２箇所に形成されて窓穴と連通する凹部（図示せず）に収納されることにより、レンズブロック１００は軸部１０２ａを軸として回動自在となっている。而して、レンズブロック１００を回転させて集光レンズ１０１の向きを変えることで検知範囲を変化させることができる。
【０００７】
また、フランジ部１１後面の筒部１０を挟んだ両側には、天井の造営材をフランジ部１１との間で挟んでハウジングＡを固定するための挟み金具７が取り付けられる。挟み金具７は、一側面が筒部１０と対向する前後方向に長尺な略直方体形状であって、筒部１０から離れた側の一側面が開放されたガイド部７０と、ガイド部７０の長手方向の両端を貫通した引締めねじ７１と、一部がガイド部７０に収納されガイド部７０内部で引締めねじ７１に螺合した挟み片７２とを備える。
【０００８】
ガイド部７０の開口面に隣接する一側面の後端部には、開口に連通した切り欠き７０ａが設けられている。挟み片７２は、ガイド部７０の後端に位置している時に切り欠き７０ａに挿通可能となっており、挟み片７２が切り欠き７０ａに挿通された状態から引締めねじ７１を回動させると、挟み片７２が切り欠き７０ａから出てガイド部７０の開口面に沿って前方へ移動するようになっている。引締めねじ７１は、フランジ部１１に設けられた貫設穴１１ａからドライバを挿入して回動させることができるようになっており、フランジ部１１後面を天井面に当接させた状態で引締めねじ７１を回動させると、挟み片７２が切り欠き７０ａから出てフランジ部１１に近付く方向に移動し、挟み片７２とフランジ部１１との間で天井の造営材を挟持することができる。
【０００９】
また、フランジ部１１の挟み金具７が取り付けられる部位の近傍には、天井にフランジ部１１を直付けするためのねじや、天井面に埋込配設される埋込ボックス（図示せず）に結合するねじを挿通するためのねじ挿通穴１１ｂが貫設されている。更にハウジングＡには、天井面との間でフランジ部１１を覆う化粧プレート５が取り付けられており、フランジ部１１のねじ挿通穴１１ｂ等を覆い隠すことで見栄えを良くしている。尚、化粧プレート５には、レンズブロック１００を露出させる貫通穴５０が貫設されている。
【００１０】
ところで、上記従来例では、押さえ金具１１０の厚み寸法が大きいためにレンズブロック１００が収納されるスペースを圧迫してしまい、結果としてレンズブロック１００が化粧プレート５から前方（下方）へ大きく突出してしまうという問題があった。そこで、押さえ金具１１０を板状のばね部材とすることで上記問題を解決したものが特許文献１に開示されている。
【特許文献１】特開２００５−１３５６１３号公報
【発明の開示】
【発明が解決しようとする課題】
【００１１】
しかしながら、特許文献１に記載の従来例では、熱線センサＴＰをレンズブロック１００の内部に収納していないために、レンズブロック１００の上下方向の移動に伴って熱線センサＴＰの受光面と集光レンズ１０１との間の距離が変動し、検出範囲が一定にならないという問題があった。
【００１２】
本発明は、上記の点に鑑みて為されたもので、レンズブロックの突出量を抑えるとともに検出範囲を一定に保つことのできる熱線センサ付自動スイッチを提供することを目的とする。
【課題を解決するための手段】
【００１３】
請求項１の発明は、上記目的を達成するために、人体から発せられる熱線を検知する熱線センサと、熱線センサの出力に応じて電源から負荷への給電を入／切するリレーと、熱線センサを収納するとともに検知範囲からの熱線を熱線センサの受光部に集光する集光レンズを有するレンズブロックと、集光レンズを露出させる窓穴を有し検知範囲を変化させるようにレンズブロックを回動自在に保持するハウジングと、ハウジングに収納され且つレンズブロックを覆うように配設されるリレー等の電子部品が実装された一乃至複数のプリント配線板とを備え、ハウジングが天井面に埋込配設される熱線センサ付自動スイッチであって、レンズブロックとプリント配線板との間には、レンズブロックを窓穴側に付勢する板状のばね部材が設けられたことを特徴とする。
【００１４】
請求項２の発明は、請求項１の発明において、レンズブロックには、ばね部材に向かって突出する突部が設けられ、該突部は、ばね部材に貫設された挿通孔に挿通されることを特徴とする。
【００１５】
請求項３の発明は、請求項２の発明において、プリント配線板は突部に近接し且つレンズブロックに外部から衝撃を与えられた際に突部と当接する位置に配設されたことを特徴とする。
【００１６】
請求項４の発明は、請求項２の発明において、プリント配線板には、突部と対向するとともにレンズブロックに向かって突出するスペーサが設けられたことを特徴とする。
【００１７】
請求項５の発明は、請求項１乃至４の何れか１項の発明において、ばね部材は、レンズブロックと当接する第１の板部と、第１の板部の周方向に沿うとともに第１の板部と離間して設けられる第２の板部と、第１の板部と第２の板部との間において第１の板部及び第２の板部の周方向に沿って配設される一乃至複数の長尺板状の弾性部とから成り、各弾性部は、一端が第１の板部に連結され且つ他端が第２の板部に連結されることを特徴とする。
【００１８】
請求項６の発明は、請求項１乃至５の何れか１項の発明において、ハウジングには、ばね部材の周方向に沿って設けられてばね部材の外周縁が嵌合する複数の取付部と、ばね部材を取付部に嵌合する際にばね部材が当接する取付リブとが設けられたことを特徴とする。
【００１９】
請求項７の発明は、請求項１乃至６の何れか１項の発明において、ハウジングは、ばね部材の周方向に沿って設けられてばね部材の外周と摺接する複数の位置決めリブを備えたことを特徴とする。
【００２０】
請求項８の発明は、請求項７の発明において、位置決めリブは少なくとも３つ設けられ、２つのリブの間を熱線センサから引き出されるリード線の引き出し口としたことを特徴とする。
【００２１】
請求項９の発明は、請求項１乃至８の何れか１項の発明において、レンズブロックは、各々一面が開口した第１の枠体及び第２の枠体の開口面を互いに結合して成る回転枠と、回転枠内部に収納されて熱線センサが実装される基板とを備え、何れか一方の枠体に基板が固定されるとともに、他方の枠体に熱線センサの受光部と対向する形で集光レンズが配設され、前記一方の枠体に基板を載置するリブを設けるとともに、前記他方の枠体において基板と対向する部位にダボを設けたことを特徴とする。
【発明の効果】
【００２２】
請求項１の発明によれば、レンズブロックを付勢するばね部材を板状にすることで、従来のように押さえ金具でレンズブロックを付勢する場合と比較して、レンズブロックとプリント配線板との間で確保すべきスペースを小さくすることができ、したがってレンズブロックをプリント配線板側に引っ込めてレンズブロックが窓穴から突出する量を小さくすることができる。また、熱線センサをレンズブロック内に収納しているため、熱線センサと集光レンズとの間の距離を変えることなくレンズブロックを付勢することができる。
【００２３】
請求項２の発明によれば、レンズブロックの突部がばね部材の挿通孔の内周縁によってその移動を規制されるので、レンズブロックの回動範囲を規制することができる。
【００２４】
請求項３の発明によれば、レンズブロックに外力が加わってばね部材が付勢方向と反対方向に押圧された際に、レンズブロックの突部がプリント配線板と当接することでレンズブロックが必要以上に押圧されるのを防ぐことができ、したがってばね部材に必要以上のストレスが加わって塑性変形するのを防ぐことができる。
【００２５】
請求項４の発明によれば、レンズブロックに外力が加わってばね部材が付勢方向と反対方向に押圧された際に、レンズブロックがスペーサに当接することでレンズブロックが必要以上に押圧されるのを防ぐことができ、したがってばね部材に必要以上のストレスが加わって塑性変形するのを防ぐことができる。
【００２６】
請求項５の発明によれば、弾性部を第１の板部及び第２の板部の周方向に沿って配設することで弾性部を長くすることができ、レンズブロックに外力が加わってばね部材が付勢方向と反対方向に押圧された際に、ばね部材を押圧方向に十分に撓ませることができる。したがって、ばね部材の撓みが不十分であることに起因してレンズブロックの回動が阻害されるのを防ぐことができる。
【００２７】
請求項６の発明によれば、ばね部材を取付部に嵌合して取り付ける際に、ばね部材が取付リブに当接することでばね部材の移動を規制することができ、したがってばね部材を取り付ける際の作業性を向上させることができる。
【００２８】
請求項７の発明によれば、ばね部材をハウジングに取り付ける際にばね部材の外周が位置決めリブに摺接するため、ばね部材を容易に位置決めすることができる。
【００２９】
請求項８の発明によれば、ばね部材を作成する際にばね部材の外周縁に残存するエッジが熱線センサのリード線と接触しないようにすることができ、したがってリード線がエッジと接触することで破損するのを防ぐことができる。
【００３０】
請求項９の発明によれば、回転枠を組み立てる際に、ダボが基板と当接して潰れることで各部品の寸法の差異を吸収することができるので、基板に実装された熱線センサの受光部と集光レンズとの間の距離を略一定に保つことができる。
【発明を実施するための最良の形態】
【００３１】
以下、本発明に係る熱線センサ付自動スイッチの実施形態について図面を用いて説明する。但し、本実施形態の基本的な構成は従来例とほぼ共通であるので、形状に若干の違いがあっても機能が共通する構成要素には同一の番号を付して説明を省略する。また、以下の説明では、図１では上下方向を前後方向と定めるが、天井に埋込配設された実際の使用状態では前方（図１における上方）が下方、後方（図１における下方）が上方となる。本実施形態は、図１に示すように、従来例における押さえ金具１１０並びにコイルばね１１２に代えて、弾性を有する金属板から形成されたばね部材４によってレンズブロック３を回動自在に弾性支持している点に特徴がある。
【００３２】
レンズブロック３は、集光レンズ３０と、集光レンズ３０を保持する回転枠と、熱線センサＴＰが上面に実装されて回転枠内に収納される基板Ｐ３とからなる。集光レンズ３０は、球面の一部が周方向並びに径方向に分割された多分割レンズからなるレンズ部３０ａと、略円筒形状であって軸方向の前端側の開口がレンズ部３０ａで塞がれた筒部３０ｂとが合成樹脂材料によって一体に形成されている。また筒部３０ｂの周面における後端側には外向きに一対の係止爪３０ｃが突設されている。
【００３３】
回転枠は、図１並びに図３（ｂ）に示すように各々一面が開口する略半球形状に形成された第１枠体３１並びに第２枠体３２を互いの開口面を突き合わせる形で結合して構成される。第１枠体３１は、前面中央に平面視略円形の凹所３１ａが形成され、凹所３１ａの底面には略円形の窓孔３１ｂが開口している。凹所３１ａの周面には集光レンズ３０の一対の係止爪３０ｃが各々係止する一対の係止凹部３１ｃが形成されており、筒部３０ｂを凹所３１ａに嵌合したときに一対の係止爪３０ｃがそれぞれ係止凹部３１ｃと係止することでレンズ部３０ａを凹所３１ａの外へ突出させた状態で集光レンズ３０が第１枠体３１に取り付けられる。また、第１枠体３１には後方へ突出する一対の突片３１ｄが設けられ、各突片３１ｄの先端には外向きに突出する結合爪３１ｅが設けられている。さらに、第１枠体３１の内周面からは３つの突部３１ｆが周方向において略等間隔に突設され、各突部３１ｆからは後向きに突出する直方体状の突リブ３１ｇが各々突設されている。
【００３４】
第２枠体３２は、略半球形状の球面部３２ａと、球面部３２ａの前端縁より前方へ立ち上がる略円筒形状の周壁部３２ｂとが合成樹脂材料によって一体に形成されている。また、球面部３２ａの中央部からは後方へ突出する略円柱形状の突部３２ｃが突設されている。第２枠体３２の内側には基板Ｐ３が載置される複数のリブ３２ｄが突設されている。さらに、周壁部３２ｂの内周面には第１枠体３１の一対の結合爪３１ｅと係合する一対の係合溝３２ｅが設けられている。
【００３５】
而して、リブ３２ｄ上に基板Ｐ３が載置された第２枠体３２の上から第１枠体３１を被せれば、第１枠体３１の突片３１ｄに設けられている結合爪３１ｅが第２枠体３２の周壁部３２ｂに設けられている係合溝３２ｄとそれぞれ係合し、第１枠体３１と第２枠体３２とが互いの開口面を突き合わせる形で結合されて回転枠が組み立てられる。このとき、第１枠体３１の３つの突リブ３１ｇの後端面から突設されている略円錐形状のダボ３１ｈが基板Ｐ３に当接して潰される。つまり、第１枠体３１と第２枠体３２とが結合爪３１ｅと係合溝３２ｅとの係合によって結合される構造であるため、第１枠体３１と第２枠体３２との間に各部品の寸法誤差に起因した前後方向のがたつきが生じて熱線センサＴＰの受光部とレンズ部３０ａとの距離を一定に保つことが難しくなる。しかしながら本実施形態では、上述のように回転枠を組み立てる際に、ダボ３１ｈが基板Ｐ３と当接して潰れることで各部品の寸法の差異を吸収することができるので、基板Ｐ３に実装された熱線センサＴＰの受光部とレンズ部３０ａとの間の距離を一定に保つことができる。尚、本実施形態では第２枠体３２に基板Ｐ３を載置するリブを設けるとともに第１枠体３１にダボ３１ｈを設けているが、これとは逆に、第１枠体３１に基板Ｐ３を載置するリブを設けるとともに第２枠体３２にダボを設けても同様の作用効果を奏する。また、基板Ｐ３には熱線センサＴＰへの給電並びに熱線センサＴＰからの出力用のリード線２００の一端が半田接合されており、回転枠の周部に設けられている電線挿通孔３３を通して回転枠の外に引き出されている。
【００３６】
ばね部材４は、図２に示すように、中央部に円形の挿通孔４０ａが貫通した略円環状の第１の板部４０と、第１の板部４０の周方向に沿うとともに第１の板部４０と離間して設けられる略円環状の第２の板部４１と、第１の板部４０と第２の板部４１との間において第１の板部４０及び第２の板部４１の周方向に沿って配設される複数（図示では４つ）の長尺板状の弾性部４２とが板状の金属材料を打ち抜き加工することで一体に形成されている。尚、４つの弾性部４２は、それぞれの一端が第１の板部４０に連結されるとともに他端が第２の板部４１に連結される。
【００３７】
第１の板部４０と第２の板部４１とは互いに同心に形成され、第１の板部４０は隙間を空けて第２の板部４１に囲まれている。また、各弾性部４２は互いに同形状であって、第１の板部４０と第２の板部４１との間で周方向に略９０度ずつ位置をずらして設けられ、それぞれ周方向に延長された細長い円弧状に形成されている。このように弾性部４２を形成することにより、弾性部４２を第１の板部４０及び第２の板部４１の径方向に延長して形成する場合と比較して弾性部４２を長さ寸法を長くすることができて弾性限度内で大きく変形させることができる。また、第２の板部４１の外周縁には４つの保持片４１ａがそれぞれ厚み方向に切り起こし形成されている。
【００３８】
図４（ａ）に示すように、筒部１０の内側における窓穴１１ｃの周縁には、レンズブロック３を回動自在に収納する略円筒形状のレンズブロック収納部１２が突設されている。レンズブロック収納部１２の内周面には、後端（図４（ａ）における上端）が開放された一対の縦溝１２ａが窓穴１１ｃの中心を挟んで対向する位置に形成されている。一方、レンズブロック３の回転枠（第２枠体３２）には円柱形状の一対の凸部３２ｆが外向きに突設されており、これら一対の凸部３２ｆが各々縦溝１２ａに嵌め込まれる。
【００３９】
筒部１０の内側におけるレンズブロック収納部１２の周囲にはレンズブロック収納部１２よりも背の高い複数（図示例では４つ）の突起部１３が後方へ向けて突設されている。これら４つの突起部１３の後端部（図４（ａ）における上端部）には、ばね部材４の４つの保持片４１ａがそれぞれ嵌合する取付部１３ａが凹設されている。
【００４０】
而して、第２枠体３２から突設されている一対の凸部３２ｆをそれぞれ縦溝１２ａに嵌め込むとともに窓穴１１ｃから集光レンズ３０を突出させるようにしてレンズブロック収納部１２にレンズブロック３を収納した後、第２枠体３２の突部３２ｃを第１の板部４０の中央部に貫通する円形の挿通孔４０ａに挿通し、第２の板部４１に設けられている４つの保持片４１ａをそれぞれ取付部１３ａに嵌合すれば、筒部１０の内側における窓穴１１ｃの周縁部分とばね部材４との間でレンズブロック３が回動自在に弾性狭持されることになる。但し、レンズブロック３の回動範囲は第２枠体３２の突部３２ｃが挿通された挿通孔４０ａの内周縁によって規制される。尚、レンズブロック収納部１２には略矩形の挿通溝１２ｂが形成されており、レンズブロック３の回転枠から引き出されているリード線２００が挿通溝１２ｂに挿通されてレンズブロック収納部１２の外に引き出され、第２のプリント配線板Ｐ２に接続される（図４（ｃ）参照）。
【００４１】
ここで、ばね部材４の４つの保持片４１ａを取付部１３ａにそれぞれ嵌合する際、通常は４つの保持片４１ａを同時に嵌合することが難しいため、１つずつあるいは隣り合う２つの保持片４１ａのみを同時に嵌合することになる。しかしながら、少なくとも１つの保持片４１ａが取付部１３ａに嵌合された状態では第１の板部４０がレンズブロック３に当接して弾性変形しているから、ばね部材４における保持片４１ａの嵌合していない側が浮き上がってしまうために残りの保持片４１ａを取付部１３ａに嵌合する作業が困難になる虞がある。これに対して本実施形態では、図４（ｂ）に示すようにレンズブロック収納部１２の後端面が取付後のばね部材４の近傍に位置しているため、少なくとも１つの保持片４１ａが取付部１３ａに嵌合された状態で残りの保持片４１ａを取付部１３ａに嵌合する際、レンズブロック収納部１２の後端面に第２の板部４１が当接することでばね部材４の浮き上がりを抑えることができる。その結果、４つの保持片４１ａを取付部１３ａに嵌合する際の作業性を向上することができる。尚、本実施形態においてはレンズブロック収納部１２が請求項６における「取付リブ」に相当する。
【００４２】
また、筒部１０の内側におけるレンズブロック収納部１２の周囲には、レンズブロック収納部１２よりも背の高い複数（図示例では３つ）の位置決めリブ１４が後方へ向けて突設されている。これらの位置決めリブ１４は後方へ向けて先細りとなる略円錐台形状に形成されている。したがって、上述のようにばね部材４の保持片４１ａを取付部１３ａに嵌合する際、第２の板部４１の外周縁が各位置決めリブ１４と摺接するためにばね部材４を容易に位置決めすることができる。
【００４３】
ここで、３つの位置決めリブ１４のうちの２つは、レンズブロック収納部１２に設けられた挿通溝１２ｂの周方向両端近傍に配置されている。既に説明したように、ばね部材４は板状の金属材料を打ち抜き加工して形成されるため、第２の板部４１の外周縁には金属材料（金属板）から切り離す際に複数のエッジ部４１ｂが残存してしまう（図２（ａ）参照）。そして、これらのエッジ部４１ｂがリード線２００に接触すると、エッジ部４１ｂによってリード線２００の外皮が傷ついたり、リード線２００の導体が切断されてしまうといった不具合の発生する虞がある。そこで本実施形態では、図４（ｃ）に示すように２つの位置決めリブ１４をレンズブロック収納部１２に設けられた挿通溝１２ｂの周方向両端近傍に配置し、リード線２００がばね部材４のエッジ部４１ｂと接触しないようにして、上述のような不具合の発生を防止している。
【００４４】
而して、従来例では図５（ｂ）に示すように熱線センサＴＰが収納されたレンズブロック１００を押さえ金具１１０並びにコイルばね１１２で弾性付勢しているためにレンズブロック１００が化粧プレート５から前方（下方）へ大きく突出してしまっていた。これに対して本実施形態では、図５（ａ）に示すようにレンズブロック３を板状のばね部材４によって弾性付勢しているために化粧プレート５から前方へ突出するレンズブロック３の突出量を大きく減らすことができる。しかも、本実施形態では特許文献１に記載されている従来例とは異なり、熱線センサＴＰを収納したレンズブロック３をばね部材４で弾性付勢して回動自在としているから、レンズブロック３を回動させても集光レンズ３０と熱線センサＴＰとの相対的な位置関係が変化しない。その結果、レンズブロック３の回動位置に関わらず、熱線センサＴＰの検出範囲をほぼ一定に保つことができる。
【００４５】
ところで、ばね部材４は長尺板状の弾性部４２で第１の板部４０を弾性支持しているため、例えば、外部から加わる衝撃によってレンズブロック３が反付勢方向に押圧された場合、弾性部４２に必要以上のストレスが加わって塑性変形してしまう虞がある。そこで本実施形態では、図５（ａ）に示すようにレンズブロック３の第２枠体３２に設けられている突部３２ｃと近接する位置に第２のプリント配線板Ｐ２が配設されている。したがって、上述のように外部から加わる衝撃によってレンズブロック３が反付勢方向に押圧された場合においても、突部３２ｃが第２のプリント配線板Ｐ２に当接することでレンズブロック３が必要以上に押圧されるのを防ぐことができ、その結果、ばね部材４に必要以上のストレスが加わって弾性部４２が塑性変形するのを防ぐことができる。
【００４６】
ここで、ハウジングＡ内に１枚のプリント配線板Ｐ１のみが収納されるような場合においては、プリント配線板Ｐ１をレンズブロック３に近接させることができないので、図６に示すように合成樹脂成形品からなるスペーサ１５をレンズブロック３の突部３２ｃに近接して配設すればよい。スペーサ１５は、略円柱形状の主部１５ａと、主部１５ａよりも径の小さい略円筒形状の固定部１５ｂとが合成樹脂成形品として一体に形成されてなる。プリント配線板Ｐ１の中央部には円形の貫通孔２０１が貫設されており、固定部１５ｂが圧入されることでスペーサ１５がプリント配線板Ｐ１に固定される。このとき、スペーサ１５の主部１５ａとレンズブロック３の突部３２ｃとは僅かな隙間を空けて近接することになる。したがって、上述のように外部から加わる衝撃によってレンズブロック３が反付勢方向に押圧された場合においても、突部３２ｃがスペーサ１５（主部１５ａ）に当接することでレンズブロック３が必要以上に押圧されるのを防ぐことができ、その結果、ばね部材４に必要以上のストレスが加わって弾性部４２が塑性変形するのを防ぐことができる。
【図面の簡単な説明】
【００４７】
【図１】本発明の実施形態を示し、（ａ）は全体斜視図、（ｂ）は分解斜視図である。
【図２】（ａ）は同上におけるばね部材の平面図、（ｂ）はばね部材及びレンズブロックの斜視図である。
【図３】（ａ）は同上における第１枠体の斜視図、（ｂ）はレンズブロックの断面図である。
【図４】（ａ）は同上におけるボディの斜視図、（ｂ）は同上におけるボディ，レンズブロック，ばね部材の要部断面図、（ｃ）は同上におけるボディ，レンズブロック，ばね部材の要部斜視図である。
【図５】（ａ）は同上の断面図、（ｂ）は従来例の断面図である。
【図６】同上の他の構成を示す断面図である。
【図７】従来の熱線センサ付自動スイッチを示す分解斜視図である。
【符号の説明】
【００４８】
Ａ  ハウジング
１  ボディ
２  カバー
３  レンズブロック
４  ばね部材
３０  集光レンズ
３１  第１枠体
３２  第２枠体
ＴＰ  熱線センサ
Ｐ３  基板
【図１】
2010027395.tif 000003
【図２】
2010027395.tif 000004
【図３】
2010027395.tif 000005
【図４】
2010027395.tif 000006
【図５】
2010027395.tif 000007
【図６】
2010027395.tif 000008
【図７】
2010027395.tif 000009